(57)【特許請求の範囲】
【請求項１】
ケーブルシステムのケーブルに結合される複数の負荷のうちの少なくとも１つの負荷内の問題を検出するための装置であって、
−前記複数の負荷に給電するためのケーブル信号の波形を分析するための分析部、及び
−前記分析部からの分析結果に応じて、前記問題が存在するか否かを判断するための判断部、
を有し、
前記波形は、クレスト及びトラフを含み、前記複数の負荷は各々、対応する位置において対応するドライバを介して前記ケーブルに結合され、負荷内の前記問題は、対応するドライバが、前記クレスト及び前記トラフのうちの少なくとも１つにおける又は近傍の前記波形の少なくとも１つの値を修正することをもたらし、前記分析結果は、前記波形が閾値より大きく修正されているか否かを定め、
前記分析部は、
−前記ケーブル信号のいくつかの周期を含む時間期間の間にクレストにおける前記波形の第１の振幅を第１の値と比較するため、及びトラフにおける前記波形の第２の振幅を第２の値と比較するための第１の比較部、及び
−前記第１及び第２の値を超えた第１及び第２の振幅の数をカウントするための第１のカウント部、
を有し、前記閾値は、前記第１及び第２の振幅の数の最小値を定める、
装置。
【請求項２】
前記分析部はさらに、
−前記トラフがさらなるクレストになり、前記第１及び第２の振幅が第３の振幅になり、前記第１及び第２の値が前記第３の振幅の中央値と該中央値及び最小の第３の振幅の差の２倍との和に等しい同一値になるよう前記波形を整流するための整流部、
を有する、請求項１記載の装置。
【請求項３】
ケーブルシステムのケーブルに結合される複数の負荷のうちの少なくとも１つの負荷内の問題を検出するための装置であって、
−前記複数の負荷に給電するためのケーブル信号の波形を分析するための分析部、及び
−前記分析部からの分析結果に応じて、前記問題が存在するか否かを判断するための判断部、
を有し、
前記波形は、クレスト及びトラフを含み、前記複数の負荷は各々、対応する位置において対応するドライバを介して前記ケーブルに結合され、負荷内の前記問題は、対応するドライバが、前記クレスト及び前記トラフのうちの少なくとも１つにおける又は近傍の前記波形の少なくとも１つの値を修正することをもたらし、前記分析結果は、前記波形が閾値より大きく修正されているか否かを定め、
前記分析部は、
−前記ケーブル信号のいくつかの周期を含む時間期間の間に前記ケーブル信号の周期毎に前記波形を基準波形と比較するための第２の比較部、及び
−前記波形が前記基準波形から過度にずれている周期の数をカウントするための第２のカウント部、
を有し、前記閾値は、前記周期の数の最小値を定める、装置。
【請求項４】
前記波形及び前記基準波形のずれは、該波形及び該基準波形のクレスト又はトラフにおける該波形及び該基準波形間の距離である、請求項３記載の装置。
【請求項５】
ケーブルシステムのケーブルに結合される複数の負荷のうちの少なくとも１つの負荷内の問題を検出するための装置であって、
−前記複数の負荷に給電するためのケーブル信号の波形を分析するための分析部、及び
−前記分析部からの分析結果に応じて、前記問題が存在するか否かを判断するための判断部、
を有し、
前記波形は、クレスト及びトラフを含み、前記複数の負荷は各々、対応する位置において対応するドライバを介して前記ケーブルに結合され、負荷内の前記問題は、対応するドライバが、前記クレスト及び前記トラフのうちの少なくとも１つにおける又は近傍の前記波形の少なくとも１つの値を修正することをもたらし、前記分析結果は、前記波形が閾値より大きく修正されているか否かを定め、
前記分析部は、
−問題がある状況において決定される第１の波形から第１の係数を導出する、問題のない状況において決定される第２の波形から第２の係数を導出する、及び未知の状況において決定される波形から第３の係数を導出するための導出部、
−前記第１の係数を第１の座標に変換し、前記第２の係数を第２の座標に変換し、前記第３の係数を第３の座標に変換するための変換部、及び
−空間内に前記第１の座標に基づく第１の領域及び前記第２の座標に基づく第２の領域を定める、及び前記第１の領域及び前記第２の領域のうちの一方に前記第３の座標を割り当てるための分類部、
を有する、装置。
【請求項６】
前記分類部は、自己学習型分類部であり、前記第３の係数は、前記分類部のパラメータを更新するため、前記問題が存在すると判断された後、第１の係数になる、又は前記問題が存在しないと判断された後、第２の係数になる、請求項５記載の装置
【請求項７】
前記クレスト及び前記トラフのうちの少なくとも１つにおける又は近傍の前記波形の少なくとも１つの値の前記修正は、正のパルスがクレストに付加される又は負のパルスがトラフに付加されることを含む、請求項１乃至６のいずれか一項記載の装置。
【請求項８】
前記ケーブル信号に存在する高周波ノイズをフィルタリングするためのノイズフィルタをさらに有する、請求項１乃至７のいずれか一項記載の装置。
【請求項９】
前記ケーブル信号は、前記ケーブルの導体に供される電圧信号に応じて該ケーブルの該導体を流れる電流信号である、請求項１乃至８のいずれか一項記載の装置。
【請求項１０】
請求項１乃至９のいずれか一項記載の装置を含むケーブルシステムであり、前記ケーブル及び／又は前記負荷を含むケーブルシステム。
【請求項１１】
ケーブルシステムのケーブルに結合される複数の負荷のうちの少なくとも１つの負荷内の問題を検出する方法であって、
−前記複数の負荷に給電するためのケーブル信号の波形を分析するステップ、及び
−分析結果に応じて、前記問題が存在するか否かを判断するステップ、
を有し、
前記波形は、クレスト及びトラフを含み、前記複数の負荷は各々、対応する位置において対応するドライバを介して前記ケーブルに結合され、負荷内の前記問題は、対応するドライバが、前記クレスト及び前記トラフのうちの少なくとも１つにおける又は近傍の前記波形の少なくとも１つの値を修正することをもたらし、前記分析結果は、前記波形が閾値より大きく修正されているか否かを定め、
前記分析するステップは、
−前記ケーブル信号のいくつかの周期を含む時間期間の間にクレストにおける前記波形の第１の振幅を第１の値と比較するステップ、及びトラフにおける前記波形の第２の振幅を第２の値と比較するステップ、及び
−前記第１及び第２の値を超えた第１及び第２の振幅の数をカウントするステップ、
を有し、前記閾値は、前記第１及び第２の振幅の数の最小値を定める、方法。
【請求項１２】
ケーブルシステムのケーブルに結合される複数の負荷のうちの少なくとも１つの負荷内の問題を検出する方法であって、
−前記複数の負荷に給電するためのケーブル信号の波形を分析するステップ、及び
−分析結果に応じて、前記問題が存在するか否かを判断するステップ、
を有し、
前記波形は、クレスト及びトラフを含み、前記複数の負荷は各々、対応する位置において対応するドライバを介して前記ケーブルに結合され、負荷内の前記問題は、対応するドライバが、前記クレスト及び前記トラフのうちの少なくとも１つにおける又は近傍の前記波形の少なくとも１つの値を修正することをもたらし、前記分析結果は、前記波形が閾値より大きく修正されているか否かを定め、
前記分析するステップは、
−前記ケーブル信号のいくつかの周期を含む時間期間の間に前記ケーブル信号の周期毎に前記波形を基準波形と比較するステップ、及び
−前記波形が前記基準波形から過度にずれている周期の数をカウントするステップ、
を有し、前記閾値は、前記周期の数の最小値を定める、方法
【請求項１３】
ケーブルシステムのケーブルに結合される複数の負荷のうちの少なくとも１つの負荷内の問題を検出する方法であって、
−前記複数の負荷に給電するためのケーブル信号の波形を分析するステップ、及び
−分析結果に応じて、前記問題が存在するか否かを判断するステップ、
を有し、
前記波形は、クレスト及びトラフを含み、前記複数の負荷は各々、対応する位置において対応するドライバを介して前記ケーブルに結合され、負荷内の前記問題は、対応するドライバが、前記クレスト及び前記トラフのうちの少なくとも１つにおける又は近傍の前記波形の少なくとも１つの値を修正することをもたらし、前記分析結果は、前記波形が閾値より大きく修正されているか否かを定め、
前記分析するステップは、
−問題がある状況において決定される第１の波形から第１の係数を導出する、問題のない状況において決定される第２の波形から第２の係数を導出する、及び未知の状況において決定される波形から第３の係数を導出するステップ、
−前記第１の係数を第１の座標に変換し、前記第２の係数を第２の座標に変換し、前記第３の係数を第３の座標に変換するステップ、及び
−空間内に前記第１の座標に基づく第１の領域及び前記第２の座標に基づく第２の領域を定める、及び前記第１の領域及び前記第２の領域のうちの一方に前記第３の座標を割り当てるステップ、
を有する、方法
【請求項１４】
コンピュータ上で実行された場合に請求項１１、１２又は１３記載の方法の各ステップを実行するためのコンピュータプログラム。
【請求項１５】
請求項１４に記載のコンピュータプログラムが格納されている媒体。
【発明の詳細な説明】
【技術分野】
【０００１】
本発明は、ケーブルシステムのケーブルに結合される複数の負荷のうちの少なくとも１つの負荷内又は近傍の問題を検出するための装置に関する。本発明はさらに、ケーブルシステム、方法、コンピュータプログラム及び媒体に関する。
【０００２】
斯かるケーブルシステムの一例は、例えば、道路照明用ランプ等の負荷に結合されるケーブルである。ランプは、ＬＥＤ(light emitting diode)ランプ又は任意の他の種類のランプであってもよい。
【背景技術】
【０００３】
国際特許出願公開第ＷＯ９６／３６２０２Ａ１号は、放電ランプのための遠隔監視及び制御装置を開示している。この装置は、不都合なメッセージ(disadvantageous message)で動作する。
【発明の概要】
【発明が解決しようとする課題】
【０００４】
本発明の目的は、改善された装置を提供することにある。本発明のさらなる目的は、ケーブルシステム、改善された方法、コンピュータプログラム及び媒体を提供することにある。
【課題を解決するための手段】
【０００５】
第１の態様によれば、ケーブルシステムのケーブルに結合される複数の負荷のうちの少なくとも１つの負荷内又は近傍の問題を検出するための装置であって、
−前記複数の負荷に給電するためのケーブル信号の波形を分析するための分析部、及び
−前記分析部からの分析結果に応じて、前記複数の負荷のうちの少なくとも１つの負荷内又は近傍の問題が存在するか否かを判断するための判断部、
を有する、装置が提供される。
【０００６】
分析部は、複数の負荷に給電するためのケーブル信号の波形を検出する。斯かるケーブル信号は、例えば、電圧信号がケーブルに与えられる結果としてケーブルを流れる電流信号、又は電流信号がケーブルに与えられる結果としてケーブル間に与えられる電圧信号であり得る。電流信号の波形を分析するため、該電流信号は、例えば、電圧信号に変換され（ることを必要とし）てもよく、電圧信号の波形を分析するため、該電圧信号は、例えば、電流信号に変換され（ることを必要とし）てもよい。ケーブル信号は、実際の給電信号(real feeding signal)であってもよく、又はシミュレートされた給電信号であってもよい。
【０００７】
判断部は、分析部からの分析結果に応じて、複数の負荷のうちの少なくとも１つの負荷内又は近傍の問題が存在するか否かを判断する。結果として、当該装置は、ケーブルシステムのケーブルに結合される複数の負荷のうちの少なくとも１つの負荷内又は近傍の問題を検出するために給電信号の波形しか用いない。斯かる装置は、不都合なメッセージを交換する必要がない。これは、非常に有利である。
【０００８】
分析部は、例えば、専用ハードウェア回路、プログラマブルハードウェア回路、ソフトウェア部分又はこれらのうちの２つ以上の組み合わせであり得る。判断部は、例えば、専用ハードウェア回路、プログラマブルハードウェア回路、ソフトウェア部分又はこれらのうちの２つ以上の組み合わせであり得る。ハードウェア回路は、例えば、プロセッサを有してもよく、又はプロセッサの一部を形成してもよい。ソフトウェア部分は、例えば、プロセッサの一部を形成してもよい。一つのプロセッサは、幾つかの機能を含んでもよい。
【０００９】
当該装置の一実施例は、前記波形が、クレスト(crest)及びトラフ(trough)を含み、前記複数の負荷は各々、対応する位置において対応するドライバを介して前記ケーブルに結合され、負荷内又は近傍の前記問題は、対応するドライバが、前記クレスト及び前記トラフのうちの少なくとも１つにおける又は近傍の前記波形の少なくとも１つの値を修正することをもたらし、前記分析結果は、前記波形が閾値より大きく修正されているか否かを定める、ことにより定義される。好ましくは、分析部は、前記波形がどのくらい修正されているか、好ましくは、閾値に対してどのくらい修正されているかを定め、判断部は、場合によっては修正されている波形を該閾値と比較する。
【００１０】
当該装置の一実施例は、前記クレスト及び前記トラフのうちの少なくとも１つにおける又は近傍の前記波形の少なくとも１つの値の前記修正が、正のパルスがクレストに付加される又は負のパルスがトラフに付加されることを含む、ことにより定義される。クレストへの正のパルスの付加は、該クレストにおける波形の局所的振幅を増加する。トラフへの負のパルスの付加は、該トラフから正のパルスを減じることに相当し、該トラフにおける波形の局所的振幅を増加する。負荷内又は近傍の問題がある場合に斯かる種類のパルスを生成するドライバは、他の種類のドライバを除外するものではないが、例えば、間欠モード(hiccup-mode)を備えるドライバである。
【００１１】
当該装置の一実施例は、前記分析部が、
−前記ケーブル信号のいくつかの周期を含む時間期間の間にクレストにおける前記波形の第１の振幅を第１の値と比較するため、及びトラフにおける前記波形の第２の振幅を第２の値と比較するための第１の比較部、及び
−前記第１及び第２の値を超えた第１及び第２の振幅の数をカウントするための第１のカウント部、
を有し、前記閾値は、前記第１及び第２の振幅の数の最小値を定める、ことにより定義される。
【００１２】
この第１の具体化によれば、分析部は、振幅を値と比較し、該値を超えた振幅をカウントし、判断部は、該カウントを閾値と比較する。
【００１３】
当該装置の一実施例は、前記分析部がさらに、
−前記トラフがさらなるクレストになり、前記第１及び第２の振幅が第３の振幅になり、前記第１及び第２の値が前記第３の振幅の中央値(median value)と該中央値及び最小の第３の振幅の差の２倍との和に等しい同一値になるよう前記波形を整流するための整流部、
を有する。この実施例は、うまく機能することが証明されている第１の具体化についての単純且つ実際的な実施例である。
【００１４】
当該装置の一実施例は、前記分析部が、
−前記ケーブル信号のいくつかの周期を含む時間期間の間に前記ケーブル信号の周期毎に前記波形を基準波形と比較するための第２の比較部、及び
−前記波形が前記基準波形から過度にずれている周期の数をカウントするための第２のカウント部、
を有し、前記閾値は、前記周期の数の最小値を定める、ことにより定義される。
【００１５】
この第２の具体化によれば、分析部は、波形を比較し、周期をカウントし、判断部は、該カウントを閾値と比較する。
【００１６】
当該装置の一実施例は、前記波形及び前記基準波形のずれが、該波形及び該基準波形のクレスト又はトラフにおける該波形及び該基準波形間の距離である、ことにより定義される。この実施例は、うまく機能することが証明されている第２の具体化についての単純且つ実際的な実施例である。
【００１７】
当該装置の一実施例は、前記分析部が、
−問題がある状況において決定される第１の波形から第１の係数を導出する、問題のない状況において決定される第２の波形から第２の係数を導出する、及び未知の状況(unknown situation)において決定される波形から第３の係数を導出するための導出部(deriving part)、
−前記第１の係数を第１の座標に変換し、前記第２の係数を第２の座標に変換し、前記第３の係数を第３の座標に変換するための変換部、及び
−空間内に前記第１の座標に基づく第１の領域及び前記第２の座標に基づく第２の領域を定める、及び前記第１の領域及び前記第２の領域のうちの一方に前記第３の座標を割り当てるための分類部(classifying part)、
を有する、ことにより定義される。
【００１８】
この第３の具体化によれば、分析部は、既知の状況において決定される波形から第１及び第２の係数を導出し、未知の状況において決定される波形から第３の係数を導出し、第１乃至第３の係数を第１乃至第３の座標に変換し、第１及び第２の座標に基づいて空間内に第１及び第２の領域を定め、これら領域のうちの一方に第３の座標を割り当て、判断部は、第３の座標の割り当てを変換する。この場合、閾値は、線、幾つかの線又は第１及び第２の領域の間に位置づけられる第３の領域に対応する。第１の領域への第３の座標の割り当ては、"問題あり(problem)"に対応し、第２の領域への第３の座標の割り当ては、"問題なし(no problem)"に対応する。
【００１９】
当該装置の一実施例は、前記分類部が、自己学習型分類部であり、前記第３の係数は、前記分類部のパラメータを更新するため、前記問題が存在すると判断された後、第１の係数になる、又は前記問題が存在しないと判断された後、第２の係数になる、ことにより定義される。自己学習型分類部は、通常、生涯の間に自身を改善するであろう。
【００２０】
非常に有利な実施例によれば、第１、第２及び第３の具体化のうちの２つが組み合わされ、これにより、問題は、１つの具体化のみがそうと判断する場合に十分に検出され、又は問題は、両方の具体化がそうと判断する場合に十分に検出される。他の非常に有利な実施例によれば、第１、第２及び第３の具体化が組み合わされ、これにより、問題は、１つの具体化のみがそうと判断する場合に十分に検出され、又は問題は、３つの具体化のうちの２つがそうと判断する場合若しくは３つの具体化のうちの３つがそうと判断する場合に十分に検出される。
【００２１】
当該装置の一実施例は、当該装置がさらに、前記ケーブル信号に存在する高周波ノイズをフィルタリングするためのノイズフィルタを有する、ことにより定義される。高周波ノイズは、クレスト又はトラフに付加されるパルスの周波数より高い周波数におけるノイズである。ノイズフィルタは、例えば、専用ハードウェア回路、プログラマブルハードウェア回路、ソフトウェア部分又はこれらのうちの２つ以上の組み合わせであってもよい。ハードウェア回路は、例えば、プロセッサを有してもよく、又はプロセッサの一部を形成してもよい。ソフトウェア部分は、例えば、プロセッサの一部を形成してもよい。一つのプロセッサは、幾つかの機能を含んでもよい。
【００２２】
当該装置の一実施例は、前記ケーブル信号が、前記ケーブルの導体に供される電圧信号に応じて該ケーブルの該導体を流れる電流信号である、ことにより定義される。通常、電圧信号が、ケーブルの導体に供され、電流信号の波形が、あり得る問題を検出するため調べられるべきである。
【００２３】
第２の態様によれば、上述した装置を含むケーブルシステムであり、前記ケーブル及び／又は前記負荷を含むケーブルシステムが提供される。
【００２４】
第３の態様によれば、ケーブルシステムのケーブルに結合される複数の負荷のうちの少なくとも１つの負荷内又は近傍の問題を検出する方法であって、
−前記複数の負荷に給電するためのケーブル信号の波形を分析するステップ、及び
−分析結果に応じて、前記複数の負荷のうちの少なくとも１つの負荷内又は近傍の問題が存在するか否かを判断するステップ、
を有する、方法が提供される。
【００２５】
第４の態様によれば、コンピュータ上で実行された場合に上述した方法の各ステップを実行するためのコンピュータプログラムが提供される。
【００２６】
第５の態様によれば、上述したコンピュータプログラムが格納されている媒体が提供される。
【００２７】
例えば比較器等の第１及び第２の比較部、例えばカウンタ等の第１及び第２のカウント部、例えば整流器等の整流部、例えば導出器(deriver)等の導出部、例えばコンバータ等の変換部並びに例えば分類器(classifier)等の分類部の各々は、例えば、専用ハードウェア回路、プログラマブルハードウェア回路、ソフトウェア部分又はこれらのうちの２つ以上の組み合わせであってもよい。ハードウェア回路は、例えば、プロセッサを有してもよく、又はプロセッサの一部を形成してもよい。ソフトウェア部分は、例えば、プロセッサの一部を形成してもよい。一つのプロセッサは、幾つかの機能を含んでもよい。
【００２８】
洞察は、ケーブルシステムのケーブルに結合される負荷内又は近傍の問題を検出しようとするときに不都合なメッセージは回避されるべきである、ということにある。基本的なアイデアは、負荷に給電するためのケーブル信号の波形が分析されるべきである、ということにある。
【００２９】
改善された装置を提供するという課題は解決されている。更なる利点は、幾つかの具体化が可能である、ということにある。
【００３０】
本発明のこれらの及び他の態様は、以下に記載の実施例から明らかになり、詳述されるであろう。
【図面の簡単な説明】
【００３１】
【図１】図１は、ケーブルシステム内の装置の実施例を示す。
【図２】図２は、第１の具体化の動作を示す。
【図３】図３は、第２の具体化の動作を示す。
【図４】図４は、第３の具体化の動作を示す。
【発明を実施するための形態】
【００３２】
図１において、ケーブルシステム内の装置１の実施例が示されている。ケーブルシステムはさらに、ドライバ４を介して負荷２に結合され、ドライバ５を介して負荷３に結合されるケーブル６を有する。代替的に、ドライバ４、５は、負荷２、３の一部を形成してもよい。装置１は、ケーブル６の導体に供される電圧信号に応じてケーブル６の導体を流れる電流信号の形態のケーブル信号を検知するためのケーブルインタフェース１０を有する。代替的に、ケーブルインタフェース１０は、ケーブル６の導体に供される電流信号に応じてケーブル６の導体間に与えられる電圧信号の形態のケーブル信号を検知してもよい。
【００３３】
装置１は、ケーブルシステムのケーブル６に結合される複数の負荷２、３のうちの少なくとも１つの負荷内又は近傍の問題を検出するよう構成され、複数の負荷２、３に給電するためのケーブル信号の波形を分析するための分析部１１、及び分析部１１からの分析結果に応じて、複数の負荷２、３のうちの少なくとも１つの負荷内又は近傍の問題が存在するか否かを判断するための判断部１２を有する。代替的に、ケーブルインタフェース１０は、分析部１１の一部又はケーブル６の一部を形成してもよい。
【００３４】
通常、波形は、クレスト及びトラフを含み、例えば、不良負荷２、３、欠落している負荷２、３又は負荷２、３及びドライバ４、５間の壊れた接続(broken connection)等の負荷２、３内又は近傍の問題の結果、対応するドライバ４、５は、クレスト及びトラフのうちの少なくとも１つにおける又は近傍の波形の少なくとも１つの値を修正する。しかしながら、代替的に、不良状態にある負荷２、３自体が、クレスト及びトラフのうちの少なくとも１つにおける又は近傍の波形の少なくとも１つの値を修正してもよいことが除外されるべきではない。分析部１１からの分析結果は、波形が閾値より大きく修正されているか否かを定めてもよい。さらに、通常、クレスト及びトラフのうちの少なくとも１つにおける又は近傍の波形の少なくとも１つの修正は、正のパルスがクレスト（における１つ以上の値）に付加される又は負のパルスがトラフ（における１つ以上の値）に付加されることを含んでもよい。無論、トラフへの負のパルスの付加は、トラフから正のパルスを減じることに相当する。
【００３５】
図２を参照してさらに説明される第１の具体化によれば、分析部１１は、ケーブル信号のいくつかの周期を含む時間期間の間にクレストにおける波形の第１の振幅を第１の値と比較するため、及びトラフにおける波形の第２の振幅を第２の値と比較するための第１の比較部２１、及び第１及び第２の値を超えた第１及び第２の振幅の数をカウントするための第１のカウント部２２を有し、閾値は、前記第１及び第２の振幅の数の最小値を定めてもよい。好ましくは、分析部１１はさらに、トラフがさらなるクレストになり、第１及び第２の振幅が第３の振幅になり、第１及び第２の値が第３の振幅の中央値と該中央値及び最小の第３の振幅の差の２倍との和に等しい同一値になるよう波形を整流するための整流部２３を有してもよい。
【００３６】
図３を参照してさらに説明される第２の具体化によれば、分析部１１は、ケーブル信号のいくつかの周期を含む時間期間の間にケーブル信号の周期毎に波形を基準波形と比較するための第２の比較部２４、及び波形が基準波形から過度にずれている周期の数をカウントするための第２のカウント部２５を有し、閾値は、前記周期の数の最小値を定めてもよい。好ましくは、波形及び基準波形のずれは、該波形及び該基準波形のクレスト又はトラフにおける該波形及び該基準波形間の距離である。
【００３７】
図４を参照してさらに説明される第３の具体化によれば、分析部１１は、問題がある状況において決定される第１の波形から第１の係数を導出する、問題のない状況において決定される第２の波形から第２の係数を導出する、及び未知の状況において決定される波形から第３の係数を導出するための導出部２６、第１の係数を第１の座標に変換し、第２の係数を第２の座標に変換し、第３の係数を第３の座標に変換するための変換部２７、及び空間内に第１の座標に基づく第１の領域及び第２の座標に基づく第２の領域を定める、及び第１の領域及び第２の領域のうちの一方に第３の座標を割り当てるための分類部２８を有してもよい。好ましくは、分類部２８は、自己学習型分類部であり、第３の係数は、分類部２８のパラメータを更新するため、問題が存在すると判断された後、第１の係数になる、又は問題が存在しないと判断された後、第２の係数になる。
【００３８】
装置１は、ケーブル信号に存在する高周波ノイズをフィルタリングするためのノイズフィルタ２９、及び波形、閾値、振幅、カウント数、係数、座標、空間、領域及びパラメータを格納するためのメモリ３０を有してもよい。代替的に、ノイズフィルタ２９は、装置１外に置かれてもよい。装置１はさらに、あり得る問題について人に知らせるためのマンマシンインタフェース１３を有してもよい。
【００３９】
図２において、第１の具体化の動作(performance)が示されている。第１の比較部２１は、ケーブル信号のいくつかの周期を含む時間期間の間にクレストにおける波形Ａの第１の振幅を第１の値と比較し、トラフにおける波形Ａの第２の振幅を第２の値と比較する。第１のカウント部２２は、第１及び第２の値を超えた第１及び第２の振幅の数をカウントする。閾値は、前記第１及び第２の振幅の数の最小値を定める。この処理を簡略化するため、整流部２３が、波形Ａを整流された波形Ｂに整流してもよい。この場合、トラフは、さらなるクレストになり、第１及び第２の振幅は、第３の振幅になり、第１及び第２の値は、例えば、第３の振幅の中央値と該中央値及び最小の第３の振幅の差の２倍との和に等しく選ばれてもよい同一値Ｃになる。
【００４０】
図３において、第２の具体化の動作が示されている。第２の比較部２４は、ケーブル信号のいくつかの周期を含む時間期間の間にケーブル信号の周期毎に波形Ａを基準波形Ｄと比較する。第２のカウント部２５は、波形Ａが基準波形Ｄから過度にずれている周期の数、この場合、正のパルスがクレストＥにある３つの周期のうちの真ん中の周期及び負のパルスがトラフＦにある３つの周期のうちの最後の周期をカウントする。閾値は、前記周期の数の最小値を定める。好ましくは、波形Ａ及び基準波形Ｄのずれは、波形Ａ及び基準波形Ｄのクレスト又はトラフにおける波形Ａ及び基準波形Ｄ間の距離であってもよい。
【００４１】
図４において、第３の具体化の動作が示されている。導出部２６は、問題が存在する状況において決定される第１の波形Ｇから第１の係数Ｋを導出し、問題が存在しない状況において決定される第２の波形Ｈから第２の係数Ｌを導出し、未知の状況において決定される波形Ａから第３の係数Ｍを導出する。係数Ｋ、Ｌ、Ｍは、他の種類の係数を除外するものではないが、例えば、高速フーリエ変換係数である。変換部２７は、第１の係数Ｋを第１の座標に変換し、第２の係数Ｌを第２の座標に変換し、第３の係数Ｍを第３の座標に変換する。分類部２８は、空間Ｐ内に第１の座標に基づく第１の領域及び第２の座標に基づく第２の領域を定め、第１の領域及び第２の領域のうちの一方に第３の座標を割り当てる。第１及び第２の領域間の１つ以上の境界線が、第３の座標のための閾値を定める。判断部１２は、第３の座標の割り当てを変換する。これが、問題あり（障害あり(failure)Ｓ）又は問題なし（障害なしＴ）の検出になる。分類部２８は、他の種類のマシンを除外するものではないが、例えば、サポートベクターマシンであってもよい。ここでは、閾値は、線、幾つかの線又は第１及び第２の領域の間に位置づけられる第３の領域に対応する。第１の領域への第３の座標の割り当てが、"障害ありＳ"という結果になり、第２の領域への第３の座標の割り当てが、"障害なしＴ"という結果になる。
【００４２】
好ましくは、分類部２８は、通常生涯の間に自身を改善するであろう自己学習型分類部である。この場合、第３の係数は、分類部２８のパラメータを更新するため、問題が存在すると判断された後、第１の係数になる、又は問題が存在しないと判断された後、第２の係数になる。
【００４３】
非常に有利な実施例によれば、第１、第２及び第３の具体化のうちの２つが組み合わされ、これにより、問題は、少なくとも１つ（好ましくは２つ）の具体化がそうと判断した場合に十分に検出される。他の非常に有利な実施例によれば、第１、第２及び第３の具体化が組み合わされ、これにより、問題は、少なくとも１つ（好ましくは少なくとも２つ）の具体化がそうと判断した場合に十分に検出される。
【００４４】
要約すると、ケーブルシステムのケーブル６に結合される負荷２、３内又は近傍の問題を検出するための装置１が、負荷２、３に給電するためのケーブル信号の波形を分析するための分析部１１及び分析結果に応じて、負荷２、３内又は近傍の問題が存在するか否かを判断するための判断部１２を有する。負荷２、３は、ドライバ４、５を介してケーブル６に結合されてもよい。負荷２、３内又は近傍の問題は、ドライバ４、５が、前記波形のクレスト又はトラフにおける又は近傍の前記波形の値を修正することをもたらす。前記分析結果は、前記波形が閾値より大きく修正されているか否かを定めてもよい。前記クレスト又は前記トラフにおける又は近傍の前記波形の値の前記修正は、正のパルスがクレストに付加される又は負のパルスがトラフに付加されることを含んでもよい。
【００４５】
本発明が図面及び上述の記載において詳述されたが、これらの図面及び記載は、例示としてみなされるべきであり、限定的なものではない。本発明は、開示された実施例に限定されない。開示された実施例に対する他のバリエーションが、図面、開示及び添付の特許請求の範囲の研究から、特許請求の範囲の発明を実践する当業者によって理解され、実施され得るであろう。請求項において、"有する"という用語は他の要素又はステップを除外するものではなく、単数表記は複数を除外するものではない。特定の手段が相互に異なる従属請求項に記載されるという単なる事実は、これらの手段の組み合わせが有効に用いられ得ないことを示すものではない。請求項中のいかなる参照符号も、その範囲を限定するものとして解釈されるべきでない。
【図１】
0006516300.tif 000002
【図２】
0006516300.tif 000003
【図３】
0006516300.tif 000004
【図４】
0006516300.tif 000005